(57)【要約】      （修正有）【課題】液体の噴霧方向を可変させることが可能な液体噴霧装置を提供する。【解決手段】液体噴霧装置Ｄ１は、ハウジング１００と、噴霧部２００と、液体供給部とを備えている。噴霧部２００は、液体を霧化して外部に放出可能な構成であり、ハウジング１００に回動可能に設けられている。液体供給部は、噴霧部２００に固定されており且つ噴霧部２００に液体を供給可能な構成である。液体供給部は、噴霧部２００の回動又は揺動に応じて部分的に折り曲げ可能な折り曲げ部３２０を備える。【選択図】図１Ａ
2015147180.tif 000002
【特許請求の範囲】
【請求項１】
ハウジングと、
液体を霧化して外部に放出可能な構成であって、前記ハウジングに回動又は揺動可能に設けられた噴霧部と、
前記噴霧部に固定されており且つ当該噴霧部に前記液体を供給可能な液体供給部とを備えており、
前記液体供給部は、前記噴霧部の回動又は揺動に応じて部分的に折り曲げ可能である液体噴霧装置。
【請求項２】
請求項１記載の液体噴霧装置において、
前記噴霧部は、振動部と、
前記振動部を保持した保持部とを有しており、
前記液体供給部は、前記保持部に固定され且つ前記振動部に当接した固定部と、
前記噴霧部の回動又は揺動に応じて折り曲げ可能な折り曲げ部とを有している液体噴霧装置。
【請求項３】
請求項２記載の液体噴霧装置において、
前記保持部は、スリーブを有しており、
前記液体供給部の前記固定部が前記スリーブ内に挿通され、前記液体供給部の前記折り曲げ部が前記スリーブの近傍に位置している液体噴霧装置。
【請求項４】
請求項３記載の液体噴霧装置において、
前記ハウジングは、前記液体供給部が挿通されたスリーブを有しており、
前記折り曲げ部は、前記ハウジングの前記スリーブと前記保持部の前記スリーブとの間に位置している液体噴霧装置。
【請求項５】
請求項３〜４の何れかに記載の液体噴霧装置において、
前記保持部の前記スリーブは、第１スリーブと、
前記第１スリーブよりも前記液体供給部の前記折り曲げ部側に位置する第２スリーブとを有しており、
前記第２スリーブの内径は前記第１スリーブの内径よりも大きい液体噴霧装置。
【請求項６】
請求項１〜５記載の液体噴霧装置において、
前記ハウジング及び前記噴霧部の何れか一方に設けられた軸部と、
前記ハウジング及び前記噴霧部の他方に設けられており且つ前記軸部を軸支する軸受け部とを更に備えている液体噴霧装置。
【請求項７】
請求項６記載の液体噴霧装置において、
前記軸部は、前記軸受け部に対して着脱可能な構成であり、
前記液体供給部は、前記ハウジングに対して少なくとも部分的に伸縮可能な構成である液体噴霧装置。
【請求項８】
請求項１〜５記載の液体噴霧装置において、
前記ハウジング及び前記噴霧部の何れか一方に設けられたガイド凸部と、
前記ハウジング及び前記噴霧部の他方に設けられており且つ前記ガイド凸部を移動自在にガイドするガイド凹部とを更に備えている液体噴霧装置。
【請求項９】
請求項８記載の液体噴霧装置において、
前記ガイド凸部は、前記ガイド凹部に対して着脱可能な構成であり、
前記液体供給部は、前記ハウジングに対して少なくとも部分的に伸縮可能な構成である液体噴霧装置。
【請求項１０】
請求項１〜９の何れかに記載の液体噴霧装置において、
前記ハウジングは、当該ハウジングにスライド自在に設けられており且つ前記噴霧部を支持するスライダーを有しており、
前記液体供給部は、前記スライダーのスライドに応じて前記ハウジングに対して少なくとも部分的に伸縮可能な構成である液体噴霧装置。
【請求項１１】
請求項１〜９の何れかに記載の液体噴霧装置において、
前記噴霧部は、前記ハウジングにスライド自在に保持されたスライダーを有しており、
前記液体供給部は、前記スライダーのスライドに応じて前記ハウジングに対して少なくとも部分的に伸縮可能な構成である液体噴霧装置。
【請求項１２】
請求項２〜５の何れかに記載の液体噴霧装置において、
前記折り曲げ部は、当該折り曲げ部を半径方向又は短手方向に貫通する貫通孔を有している液体噴霧装置。
【請求項１３】
請求項２〜５の何れかに記載の液体噴霧装置において、
前記折り曲げ部は、前記液体供給部の当該折り曲げ部以外の部分よりも細い液体噴霧装置。
【請求項１４】
ハウジングと、
前記ハウジングに対して離反及び接近可能であり且つ液体を霧化して放出可能な構成である噴霧部と、
前記噴霧部に固定されており且つ当該噴霧部に前記液体を供給可能な液体供給部とを備えており、
前記液体供給部は、前記噴霧部の離反及び接近に応じて前記ハウジングに対して少なくとも部分的に伸縮可能な構成である液体噴霧装置。
【請求項１５】
請求項１４記載の液体噴霧装置において、
前記ハウジングは、前記噴霧部を支持する支持部を有している液体噴霧装置。
【請求項１６】
請求項１４記載の液体噴霧装置において、
前記噴霧部を支持するスライダーを更に備えており、
前記スライダーは、前記噴霧部が前記ハウジングに対して離反及び接近可能となるように当該ハウジングにスライド自在に設けられている液体噴霧装置。
【請求項１７】
請求項１６記載の液体噴霧装置において、
前記ハウジングは、前記スライダーの移動経路に設けられており且つ当該スライダーを係合可能な係合部を有している液体噴霧装置。
【請求項１８】
請求項１４〜１７の何れかに記載の液体噴霧装置において、
前記噴霧部は、振動部と、
前記振動部を保持した保持部とを有しており、
前記液体供給部は、前記保持部に固定され且つ前記振動部に当接した固定部を有している液体噴霧装置。
【請求項１９】
請求項１８記載の液体噴霧装置において、
前記保持部は、前記液体供給部の前記固定部が挿通されたスリーブを有している液体噴霧装置。
【請求項２０】
請求項１５記載の液体噴霧装置において、
前記噴霧部は、振動部と、
前記振動部を保持した保持部とを有しており、
前記ハウジングは、スリーブを有しており、
前記保持部は、スリーブを有しており、
前記液体供給部は、前記ハウジングの前記スリーブに挿通された中間部と、
前記保持部の前記スリーブに挿通され且つ前記振動部に当接した固定部を有しており、
前記噴霧部が前記支持部に支持された状態で、前記保持部の前記スリーブが前記ハウジングの前記スリーブ内に挿入される又は前記ハウジングの前記スリーブが前記保持部の前記スリーブ内に挿入される液体噴霧装置。
【請求項２１】
請求項７、９〜１１及び１４〜２０の何れかに記載の液体噴霧装置において、
前記液体供給部は、筒部と、
前記筒部内にスライド自在に設けられた芯部とを有している液体噴霧装置。
【請求項２２】
請求項２１記載の液体噴霧装置において、
前記液体を貯留可能な液体容器と、
前記ハウジング又は液体容器に設けられており且つ前記芯部のスライド方向に前記筒部が移動するのを規制するストッパとを更に備えている液体噴霧装置。
【発明の詳細な説明】
【技術分野】
【０００１】
本発明は液体を噴霧させることが可能な液体噴霧装置に関する。
【背景技術】
【０００２】
下記特許文献１には従来の液体噴霧装置が記載されている。この装置は、振動部と、ハウジングと、液体容器と、液体供給部とを備えている。振動部は、圧電素子と、振動板とを有している。圧電素子はハウジングに保持されており且つ振動板の外周部に上側から当接している。液体供給部は、下端部と、上端部とを有している。液体供給部の下端部が液体容器内に収容され当該容器内の液体（例えば、液状の薬剤）に浸漬されている。液体供給部の上端部は、振動板の中心部に下側から押し付けられている。すなわち、振動板は、圧電素子と液体供給部の上端部とに挟持されている。振動板が振動することによって、液体供給部によって吸い上げられた液体が噴霧される。
【先行技術文献】
【特許文献】
【０００３】
【特許文献１】特開２００７−２０３２２４号公報
【発明の概要】
【発明が解決しようとする課題】
【０００４】
上述の通り、振動部の圧電素子がハウジングに保持され、且つ振動板が圧電素子と液体供給部とに挟持されているため、振動板によって霧化された液体の噴霧方向を可変させることができない。
【０００５】
本発明は、上記事情に鑑みて創案されたものであって、その目的とするところは、液体の噴霧方向を可変させることが可能な液体噴霧装置を提供することにある。
【課題を解決するための手段】
【０００６】
上記課題を解決するために、本発明の第１液体噴霧装置は、ハウジングと、噴霧部と、液体供給部とを備えている。前記噴霧部は、液体を霧化して外部に放出可能な構成である。前記噴霧部は、前記ハウジングに回動又は揺動可能に設けられている。前記液体供給部は、前記噴霧部に固定されており且つ当該噴霧部に前記液体を供給可能な構成である。前記液体供給部は、前記噴霧部の回動又は揺動に応じて部分的に折り曲げ可能である。
【０００７】
このような態様の第１液体噴霧装置による場合、噴霧部で霧化された液体の噴霧方向を可変させることができる。なぜなら、液体供給部が噴霧部に固定されており且つ当該噴霧部がハウジングに対して回動又は揺動したとき、部分的に折り曲げられるからである。
【０００８】
前記噴霧部は、振動部と、保持部とを有している。前記保持部は、前記振動部を保持した構成とすることが可能である。前記液体供給部は、固定部と、折り曲げ部とを有する構成とすることが可能である。前記固定部は前記保持部に固定され且つ前記振動部に当接した構成とすることが可能である。前記折り曲げ部は、前記噴霧部の回動又は揺動に応じて折り曲げ可能な構成とすることが可能である。このような態様の第１液体噴霧装置による場合、液体供給部によって供給された液体が振動部によって生じた振動によって霧化され、放出される。
【０００９】
前記保持部は、スリーブを有する構成とすることが可能である。前記液体供給部の前記固定部が前記スリーブ内に挿通された構成とすることが可能である。前記液体供給部の前記折り曲げ部が前記スリーブの近傍に位置する構成とすることが可能である。このような態様の第第１液体噴霧装置による場合、液体供給部の折り曲げ部がスリーブの近傍に位置しているので、噴霧部が回動又は揺動するとき、液体供給部の折り曲げ部が容易に折り曲げられる。
【００１０】
前記ハウジングは、前記液体供給部が挿通されたスリーブを有する構成とすることが可能である。前記折り曲げ部は、前記ハウジングの前記スリーブと前記保持部の前記スリーブとの間に位置した構成とすることが可能である。このような態様の第１液体噴霧装置による場合、噴霧部が回動又は揺動するときに、液体供給部の折り曲げ部に負荷がかかり易くなるため、折り曲げ部の折り曲げが更に容易になる。
【００１１】
前記保持部の前記スリーブは、第１スリーブと、第２スリーブとを有する構成とすることが可能である。第２スリーブは、前記第１スリーブよりも前記液体供給部の前記折り曲げ部側に位置した構成とすることが可能である。前記第２スリーブの内径は前記第１スリーブの内径よりも大きい構成とすることが可能である。このような態様の第第１液体噴霧装置による場合、液体供給部の固定部が第２スリーブ内に間隙を有して挿通されている。このため、噴霧部が回動又は揺動するときに、液体供給部の固定部が第２スリーブに押圧されるのを抑制することができる。
【００１２】
前記第１液体噴霧装置は、軸部と、軸受け部とを更に備えた構成とすることが可能である。前記軸部は、前記ハウジング及び前記噴霧部の何れか一方に設けられた構成とすることが可能である。前記軸受け部は、前記ハウジング及び前記噴霧部の他方に設けられており且つ前記軸部を軸支する構成とすることが可能である。
【００１３】
前記軸部は、前記軸受け部に対して着脱可能な構成とすることが可能である。前記液体供給部は、前記ハウジングに対して少なくとも部分的に伸縮可能な構成とすることが可能である。このような態様の第１液体噴霧装置による場合、噴霧部がハウジングに対して離反可能となるため、噴霧部で霧化された液体の噴霧方向のバリエーションを増やすことができる。
【００１４】
上記第１液体噴霧装置は、前記軸部及び前記軸受け部の代りに、ガイド凸部及びガイド凹部を備えた構成とすることが可能である。前記ガイド凸部は、前記ハウジング及び前記噴霧部の何れか一方に設けられた構成とすることが可能である。前記ガイド凹部は、前記ハウジング及び前記噴霧部の他方に設けられており且つ前記ガイド凸部を移動自在にガイドする構成とすることが可能である。
【００１５】
前記ガイド凸部は、前記ガイド凹部に対して着脱可能な構成とすることが可能である。前記液体供給部は、前記ハウジングに対して少なくとも部分的に伸縮可能な構成とすることが可能である。このような態様の第１液体噴霧装置による場合、噴霧部がハウジングに対して離反可能となるため、噴霧部で霧化された液体の噴霧方向のバリエーションを増やすことができる。
【００１６】
前記ハウジングは、当該ハウジングにスライド自在に設けられており且つ前記噴霧部を支持するスライダーを有する構成とすることが可能である。又は、前記噴霧部は、前記ハウジングにスライド自在に保持されたスライダーを有する構成とすることが可能である。前記液体供給部は、前記スライダーのスライドに応じて前記ハウジングに対して少なくとも部分的に伸縮可能な構成とすることが可能である。これらの態様の第１液体噴霧装置による場合、スライダーのスライドによって噴霧部がハウジングに対してスライド自在となるので、噴霧部で霧化された液体の噴霧方向のバリエーションを更に増やすことができる。
【００１７】
前記折り曲げ部は、当該折り曲げ部を半径方向又は短手方向に貫通する貫通孔を有した構成とすることが可能である。又は、前記折り曲げ部は、前記液体供給部の当該折り曲げ部以外の部分よりも細い構成とすることが可能である。これらの態様の第１液体噴霧装置による場合、液体供給部の折り曲げ部の折り曲げが更に容易になる。
【００１８】
本発明の第２液体噴霧装置は、ハウジングと、噴霧部と、液体供給部とを備えている。前記噴霧部は、前記ハウジングに対して離反及び接近可能であり且つ液体を霧化して放出可能な構成である。前記液体供給部は、前記噴霧部に固定されており且つ当該噴霧部に前記液体を供給可能な構成である。前記液体供給部は、前記噴霧部の離反及び接近に応じて前記ハウジングに対して少なくとも部分的に伸縮可能な構成である。
【００１９】
このような態様の第２液体噴霧装置による場合、噴霧部で霧化された液体の噴霧方向を可変させることができる。なぜなら、噴霧部がハウジングに対して離反するとき、噴霧部に固定された液体供給部がハウジングに対して少なくとも部分的に伸長する。噴霧部がハウジングに対して接近するとき、噴霧部に固定された液体供給部がハウジングに対して少なくとも部分的に縮むからである。
【００２０】
前記ハウジングは、前記噴霧部を支持する支持部を有した構成とすることが可能である。
【００２１】
又は、前記第２液体噴霧装置は、スライダーを更に備えた構成とすることが可能である。前記スライダーは、前記噴霧部を支持しており且つ前記噴霧部が前記ハウジングに対して離反及び接近可能となるように当該ハウジングにスライド自在に設けられた構成とすることが可能である。このような態様の第２液体噴霧装置による場合、スライダーをスライドさせるだけで、噴霧部をハウジングに対して離反及び接近させることができる。
【００２２】
前記ハウジングは、前記スライダーの移動経路に設けられており且つ当該スライダーを係合可能な係合部を有する構成とすることが可能である。このような態様の第２液体噴霧装置による場合、スライダーが係合部に係合されることによって、スライダーが移動経路内で位置決め保持される。
【００２３】
前記噴霧部は、振動部と、保護部とを有する構成とすることが可能である。前記保持部は、前記振動部を保持した構成とすることが可能である。前記液体供給部は、固定部を有する構成とすることが可能である。前記固定部は、前記保持部に固定され且つ前記振動部に当接した構成とすることが可能である。このような態様の第２液体噴霧装置による場合、液体供給部によって供給された液体が振動部によって生じた振動によって霧化され、放出される。
【００２４】
前記保持部は、前記液体供給部の前記固定部が挿通されたスリーブを有する構成とすることが可能である。このような態様の第２液体噴霧装置による場合、液体供給部の固定部が保持部のスリーブによって保護される。
【００２５】
前記ハウジングがスリーブを有する構成とすることが可能である。前記液体供給部は、中間部と、前記固定部をと有する構成とすることが可能である。前記中間部は前記ハウジングの前記スリーブに挿通された構成とすることが可能である。前記噴霧部が前記支持部に支持された状態で、前記保持部の前記スリーブが前記ハウジングの前記スリーブに挿入される構成とすることが可能である。又は、前記噴霧部が前記支持部に支持された状態で、前記ハウジングの前記スリーブが前記保持部の前記スリーブ内に挿入される構成とすることが可能である。このような態様の第２液体噴霧装置による場合、噴霧部がハウジングの支持部に支持された状態が安定する。
【００２６】
前記液体供給部は、筒部と、芯部とを有する構成とすることが可能である。前記芯部は、前記筒部内にスライド自在に設けられた構成とすることが可能である。このような態様の第１及び第２液体噴霧装置による場合、芯部が筒部に対してスライドすることによって、液体供給部が伸縮する。よって、液体供給部が伸縮するときに、液体供給部に大きな負荷がかかない。
【００２７】
上記第１及び第２液体噴霧装置は、前記液体を貯留可能な液体容器と、ストッパとを更に備えた構成とすることが可能である。前記ストッパは、前記ハウジング又は前記液体容器に設けられた構成とすることが可能である。前記ストッパは、前記芯部のスライド方向に前記筒部が移動するのを規制する構成とすることが可能である。このような態様の第１及び第２液体噴霧装置による場合、芯部がスライド移動するとき、筒部が芯部と共にスライド方向に移動するのを防止することができる。
【図面の簡単な説明】
【００２８】
【図１Ａ】本発明の実施例１に係る液体噴霧装置の正面、平面及び右側面から表した斜視図であって、当該装置の噴霧部が初期位置に位置した状態を示す図である。
【図１Ｂ】前記装置の背面、平面及び左側面から表した斜視図であって、当該装置の噴霧部が初期位置に位置した状態を示す図である。
【図２Ａ】前記装置の図１Ａ中の２Ａ−２Ａ断面図であって、当該装置の噴霧部が初期位置に位置した状態を示す図である。
【図２Ｂ】前記装置の図１Ａ中の２Ｂ−２Ｂ断面図であって、当該装置の噴霧部が初期位置に位置した状態を示す図である。
【図２Ｃ】前記装置の図１Ａ中の２Ｃ−２Ｃ断面図であって、当該装置の噴霧部が初期位置に位置した状態を示す図である。
【図２Ｄ】前記装置の図１Ａ中の２Ｄ−２Ｄ断面図である。
【図３Ａ】前記装置の図１Ａ中の２Ａ−２Ａ断面図であって、当該装置の噴霧部が略直角に回動した状態を示す図である。
【図３Ｂ】前記装置の図１Ａ中の２Ｂ−２Ｂ断面図であって、当該装置の噴霧部が略直角に回動した状態を示す図である。
【図３Ｃ】前記装置の図１Ａ中の２Ｃ−２Ｃ断面図であって、当該装置の噴霧部が略直角に回動した状態を示す図である。
【図４Ａ】本発明の実施例２に係る液体噴霧装置の正面、平面及び右側面から表した斜視図であって、当該装置の噴霧部がハウジングに支持された状態を示す図である。
【図４Ｂ】前記装置の背面、平面及び左側面から表した斜視図であって、当該装置の噴霧部がハウジングから離反した一つの状態を示す図である。
【図５Ａ】前記装置の図４Ａ中の５Ａ−５Ａ断面図であって、当該装置の噴霧部がハウジングに支持された状態を示す図である。
【図５Ｂ】前記装置の図４Ａ中の５Ｂ−５Ｂ断面図であって、当該装置の噴霧部がハウジングに支持された状態を示す図である。
【図５Ｃ】前記装置の図４Ａ中の５Ｃ−５Ｃ断面図であって、当該装置の噴霧部がハウジングに支持された状態を示す図である。
【図６Ａ】本発明の実施例３に係る液体噴霧装置の正面、平面及び右側面から表した斜視図であって、当該装置の噴霧部が初期位置に位置した状態を示す図である。
【図６Ｂ】前記装置の正面、平面及び右側面から表した斜視図であって、当該装置の噴霧部が係合位置に位置した状態を示す図である。
【図７Ａ】前記装置の図６Ａ中の７Ａ−７Ａ断面図であって、当該装置の噴霧部が初期位置に位置した状態を示す図である。
【図７Ｂ】前記装置の図６Ａ中の７Ｂ−７Ｂ断面図であって、当該装置の噴霧部が初期位置に位置した状態を示す図である。
【図７Ｃ】前記装置の図６Ａ中の７Ｃ−７Ｃ断面図であって、当該装置の噴霧部が初期位置に位置した状態を示す図である。
【図８Ａ】前記装置の図６Ａ中の７Ａ−７Ａ断面図であって、当該装置の噴霧部が係合位置に位置した状態を示す図である。
【図８Ｂ】前記装置の図６Ａ中の７Ｂ−７Ｂ断面図であって、当該装置の噴霧部が係合位置に位置した状態を示す図である。
【図８Ｃ】前記装置の図６Ａ中の７Ｃ−７Ｃ断面図であって、当該装置の噴霧部が係合位置に位置した状態を示す図である。
【発明を実施するための形態】
【００２９】
以下、本発明の実施例１〜３について説明する。
【実施例１】
【００３０】
以下、本発明の実施例１に係る液体噴霧装置Ｄ１について図１Ａ〜図３Ｃを参照しつつ説明する。液体噴霧装置Ｄ１は、芳香剤、消臭剤、殺虫剤、防虫剤等の液体（液体）を噴霧可能な装置である。液体噴霧装置Ｄ１は、ハウジング１００と、噴霧部２００と、液体供給部３００と、液体容器４００と、基板５００と、制御部６００とを備えている。以下、液体噴霧装置Ｄ１の各構成要素について詳しく説明する。なお、図１Ａ〜図１Ｂに示すＺ−Ｚ’方向は液体噴霧装置Ｄ１の高さ方向及び液体供給部３００の長さ方向である。Ｚ方向はＺ−Ｚ’方向のうちの一方（上方）であり、Ｚ’方向はＺ−Ｚ’方向のうちの他方（下方）である。図１Ａ〜図１Ｂに示すＸ−Ｘ’方向は液体噴霧装置Ｄ１の幅方向である。Ｘ方向はＸ−Ｘ’方向のうちの一方であり、Ｘ’方向はＸ−Ｘ’方向のうちの他方である。図１Ａ〜図１Ｂ及び図２Ｂに示すＹ−Ｙ’方向は、液体噴霧装置Ｄ１の奥行き方向であり且つ噴霧部２００の回動方向である。Ｙ方向はＹ−Ｙ’方向のうちの一方（回動方向の一方）であり、Ｙ’方向はＹ−Ｙ’方向のうちの他方（回動方向の他方）である。
【００３１】
噴霧部２００は液体を噴霧可能な構成となっている。液体は液体容器４００に貯留されている。液体容器４００内の液体は図示省略されている。噴霧部２００は、振動部２１０と、保持部２２０と、ケース２３０と、一対の軸部２４０と、一対の把持部２５０と、一対の保護部２６０とを有している。ケース２３０は、第１ケース２３１と、第２ケース２３２とを有している。第１、第２ケース２３１、２３２は互いに組み合わせられている。第１ケース２３１の天井には噴霧口２３１ａが設けられている。第２ケース２３２の底には、開口２３２ａが設けられている。開口２３２ａの中心は、噴霧口２３１ａの中心の鉛直線上に位置している。
【００３２】
保護部２６０のうちの一方は、図２Ａに最も良く示されているように、第２ケース２３２の底の開口２３２ａよりもＸ方向側の部分に設けられている。保護部２６０のうちの他方は、第２ケース２３２の底の開口２３２ａよりもＸ’方向側の部分に設けられている。各保護部２６０は、図２Ｃに最も良く示されているように、略Ｕ字状の部位であって、当該保護部２６０内に位置する把持部２５０を保護している。
【００３３】
把持部２５０のうちの一方は、一方の保護部２６０内に位置するように、第２ケース２３２の底に設けられている。把持部２５０のうちの他方は、他方の保護部２６０内に位置するように、第２ケース２３２の底に設けられている。各把持部２５０は、アームと、把持部本体とを有している。把持部２５０のアームは、第２ケース２３２の底からＺ’方向に延びている。把持部２５０の把持部本体は、アームに連接された下向き略Ｕ字状である。把持部本体は、内周面と、複数の凹部２５１とを有している。凹部２５１は、把持部本体の内周面に当該内周面の周方向に間隔をあけて設けられている。
【００３４】
軸部２４０は、図２Ａ及び図３Ａに最も良く示されているようにＸ−Ｘ’方向に延びた略円柱である。軸部２４０は、図２Ｃ及び図３Ｃに最も良く示されているように把持部２５０の把持部本体に把持されている。そのため、軸部２４０の外径が噴霧部２００の把持部２５０の把持部本体の内径よりも若干小さい又は略同じである。各軸部２４０は、外周面と、複数の凸部２４１とを有している。凸部２４１は、軸部２４０の外周面に当該外周面の周方向に間隔をあけて設けられている。凸部２４１は把持部２５０の凹部２５１に各々嵌合している。これにより、軸部２４０の把持部２５０内での回転が防止されている。
【００３５】
振動部２１０は振動することによって液体を霧化させることが可能な圧電素子である。保持部２２０は、図２Ａ及び図２Ｂに最も良く示されているようにケース２３０内で振動部２１０を保持している。すなわち、保持部２２０及び振動部２１０はケース２３０の第１、第２ケース２３１、２３２内に収容されている。保持部２２０は、第１保持部２２１と、第２保持部２２２と、取付部２２３と、４つのネジ部２２４と、第１スリーブ２２５と、第２スリーブ２２６と、一対の連結部２２７とを有している。
【００３６】
第１、第２保持部２２１、２２２は互いに組み合わせられ、振動部２１０の外周部を挟持している。第１保持部２２１には、噴霧口２３１ａに連通する第１開口２２１ａが設けられている。第１開口２２１ａ及び噴霧口２３１ａから霧化された液体が噴霧部２００の外部に噴霧される。第２保持部２２２には、第２開口２２２ａが設けられている。第２開口２２２ａの中心は噴霧口２３１ａの中心の鉛直線上に位置している。第２保持部２２２には、図２Ｄに最も良く示されているように一対の連結部２２７が１８０°間隔で設けられている。連結部２２７のうちの一方が２つのネジ部２２４に螺着され、他方が残り２つのネジ部２２４に螺着されている。このようにネジ部２２４及び連結部２２７によって、第１保持部２２１の第１開口２２１ａがケース２３０の噴霧口２３１ａに連通するように第１、第２保持部２２１、２２２が第１、第２ケース２３１、２３２内で保持されている。
【００３７】
ネジ部２２４は、図２Ａ〜図３Ｃに示されるように取付部２２３に各々設けられている。ネジ部２２４のうちの二つは、ケース２３０内で一方の連結部２２７を保持している。ネジ部２２４のうちの残りの二つは、ケース２３０内で他方の連結部２２７を保持している。取付部２２３はケース２３０に取り付けられている。本実施例１では、取付部２２３は、ケース２３０の第１、第２ケース２３１、２３２に挟持されている。取付部２２３には貫通孔が設けられている。
【００３８】
第１スリーブ２２５は、取付部２２３の上面に貫通孔に連通するように設けられた筒であって、取付部２２３から上方に延びている。第１スリーブ２２５の内径は、液体供給部３００の外径よりも大きい。第２スリーブ２２６は、取付部２２３の下面に貫通孔に連通するように設けられた筒であって、取付部２２３から下方に延びている。第２スリーブ２２６の内径は、第１スリーブ２２５の内径よりも大きい。第２スリーブ２２６が第２ケース２３２の開口２３２ａに挿通されている。第１、第２スリーブ２２５、２２６の中心は噴霧口２３１ａの中心の鉛直線上に位置している。なお、第１、第２スリーブ２２５、２２６が特許請求の範囲の保持部のスリーブに相当する。
【００３９】
ハウジング１００は、内側ハウジング１０１と、外側ハウジング１０２と、第１収容部１１０と、一対の軸受け部１２０と、仕切り部１３０と、第２収容部１４０と、スリーブ１５０とを有している。内側ハウジング１０１の上部には第１収容部１１０が、内側ハウジング１０１の下部には第２収容部１４０が設けられている。第１収容部１１０は、噴霧部２００を部分的に収容可能な略矩形状の筒である。第１収容部１１０が外側ハウジング１０２内に嵌合している。第２収容部１４０は、液体容器４００の上端部が嵌合可能な略円筒である。内側ハウジング１０１には、第１、第２収容部１１０、１４０の間を仕切る仕切り部１３０が更に設けられている。仕切り部１３０には、貫通孔１３１が設けられている。仕切り部１３０上には、貫通孔１３１に連通するようにスリーブ１５０が設けられている。スリーブ１５０は、仕切り部１３０からＺ方向に延びている。スリーブ１５０の中心は、噴霧部２００の第１、第２スリーブ２２５、２２６の中心の鉛直線上に位置している。
【００４０】
軸受け部１２０は、図２Ａに最も良く示されているように噴霧部２００の軸部２４０を軸支している。軸受け部１２０のうちの一方は、第１収容部１１０の仕切り部１３０からＺ方向に延びた壁であって、貫通孔１３１及びスリーブ１５０のＸ方向側に位置している。他方は第１収容部１１０の仕切り部１３０からＺ方向に延びた壁であって、貫通孔１３１及びスリーブ１５０のＸ’方向側に位置している。軸受け部１２０には、図２Ａ及び図３Ａに最も良く示されているように軸受け孔１２１が設けられている。軸受け孔１２１が軸部２４０を回転可能に支持している。これにより、噴霧部２００が軸部２４０を支点に、初期位置からＹ方向に略９０°回動可能（図３Ａ〜図３Ｃ参照）且つ初期位置からＹ’方向に略９０°回動可能となる。なお、本実施例１では、噴霧部２００の初期位置は、図１Ａ〜図２Ｃ示すように、噴霧部２００の噴霧口２３１ａがＺ方向に向いた位置である。
【００４１】
液体供給部３００は、図２Ａ、図２Ｂ、図３Ａ及び図３Ｂに示されているように、液体容器４００内の液体を吸い上げ、噴霧部２００の振動部２１０に供給可能な吸液芯である。液体供給部３００によって供給された液体が、振動部２１０の振動によって霧化される。霧化された液体は、噴霧部２００の第１開口２２１ａ及び噴霧口２３１ａを通じて噴霧部２００外に放出される（噴霧される）。液体供給部３００はＺ−Ｚ’方向に延びた可撓性を有する円柱である。液体供給部３００は、固定部３１０と、折り曲げ部３２０と、浸漬部３３０と、中間部３４０と、図示しない毛細管とを有している。固定部３１０は、液体供給部３００のＺ方向側の端部（上端部）である。固定部３１０の外径は、噴霧部２００の第１、第２スリーブ２２５、２２６の内径よりも若干小さい。固定部３１０は、噴霧部２００の取付部２２３の貫通孔及び第１、第２スリーブ２２５、２２６を挿通し、振動部２１０に当接している。固定部３１０は、第１、第２スリーブ２２５、２２６の何れかにワイヤー等で固定されている。浸漬部３３０は、液体供給部３００のＺ’方向側の端部（下端部）である。浸漬部３３０は、液体容器４００内に収容され、当該液体容器４００内の液体に漬かっている。前記毛細管は液体供給部３００内部に設けられている。この毛細管により、液体が浸漬部３３０から固定部３１０に吸い上げ可能となっている。
【００４２】
中間部３４０は、液体供給部３００の浸漬部３３０よりもＺ方向側に位置する部分である。中間部３４０の外径はハウジング１００のスリーブ１５０及び貫通孔１３１の内径よりも若干小さい。中間部３４０はスリーブ１５０及び貫通孔１３１に挿通され、支持されている。折り曲げ部３２０は、液体供給部３００の固定部３１０と中間部３４０との間の部分である。折り曲げ部３２０は、噴霧部２００が初期位置に位置したとき、噴霧部２００の第２スリーブ２２６とハウジング１００のスリーブ１５０との間に位置している。より具体的には、噴霧部２００の第２スリーブ２２６のＺ’方向側の近傍に位置している。折り曲げ部３２０は、Ｙ−Ｙ’方向（噴霧部２００の回動方向）に折り曲げ可能である。折り曲げ部３２０は、貫通孔３２１を有している。貫通孔３２１は、折り曲げ部３２０をＹ−Ｙ’方向に直交するＸ−Ｘ’方向（液体供給部３００の半径方向の一つ）に貫通している。これにより、折り曲げ部３２０がＹ−Ｙ’方向に容易に折り曲げ可能となっている。
【００４３】
基板５００は、図２Ａ及び図３Ａに示すように、ハウジング１００内に収容されている。基板５００は、図示しないリード線を介して噴霧部２００の振動部２１０に接続されている。
【００４４】
制御部６００は、基板５００に実装されたマイコンや電子回路等である。制御部６００は、液体散布プログラムが記録されたメモリを有している。制御部６００が、所定の信号に応じて又は所定時間毎に液体散布プログラムを処理することにより、振動部２１０に対して駆動電圧を供給し、振動部２１０を振動させるようになっている。振動部２１０が液体供給部３００に当接した状態で振動することにより、液体供給部３００に吸い上げられた液体が霧化され、噴霧部２００の噴霧口２３１ａから噴霧される。なお、前記信号は、図示しない操作入力部（操作スイッチやタッチスイッチ等）が操作されることにより当該操作入力部から出力される信号又はセンサ（人感センサや明暗センサ等）から出力される信号である。前記所定時間は、制御部６００内のタイマー回路によりカウントされる構成とすることが可能である。
【００４５】
以下、液体噴霧装置Ｄ１の組立手順について詳しく説明する。噴霧部２００の振動部２１０及び保持部２２０を用意する。振動部２１０を保持部２２０の第１、第２保持部２２１、２２２の何れか一方内に収容させる。その後、第１、第２保持部２２１、２２２を組み合わせて固定する。これにより、振動部２１０が保持部２２０に保持される。その後、保持部２２０の連結部２２７をネジ部２２４に螺着させる。これにより、保持部２２０の第１、第２スリーブ２２５、２２６の中心が第２保持部２２２の第２開口２２２ａの中心の鉛直線上に位置する。
【００４６】
その一方で、内側ハウジング１０１と、噴霧部２００の第２ケース２３２、把持部２５０及び保護部２６０とを用意する。その後、内側ハウジング１０１の第１収容部１１０内の軸受け部１２０の間に、把持部２５０及び保護部２６０を配置する。このとき、一方の軸受け部１２０の軸受け孔１２１と一方の把持部２５０の把持部本体とが隣接配置され、他方の軸受け部１２０の軸受け孔１２１と他方の把持部２５０の把持部本体とが隣接配置される。その後、噴霧部２００の軸部２４０を用意する。軸部２４０の一方を一方の軸受け部１２０の軸受け孔１２１に挿入し、一方の把持部２５０に把持させる。軸部２４０の他方を他方の軸受け部１２０の軸受け孔１２１に挿入し、他方の把持部２５０に把持させる。その後、振動部２１０を保持した保持部２２０の第２スリーブ２２６を第２ケース２３２の開口２３２ａに挿入し、当該保持部２２０の取付部２２３を第２ケース２３２内に収容させる。
【００４７】
その後、液体供給部３００を用意する。液体供給部３００の固定部３１０を、Ｚ’方向側から内側ハウジング１０１の貫通孔１３１、内側ハウジング１０１のスリーブ１５０、保持部２２０の第２スリーブ２２６、保持部２２０の貫通孔、保持部２２０の第１スリーブ２２５及び第２保持部２２２の第２開口２２２ａに順次挿入する。そして、固定部３１０を保持部２２０に保持された振動部２１０に当接させる。この状態で、固定部３１０を第１、第２スリーブ２２５、２２６の何れか一方に固定する。これにより、固定部３１０が第１、第２スリーブ２２５、２２６に支持され、液体供給部３００の中間部３４０がスリーブ１５０に支持される。その後、噴霧部２００の第１ケース２３１を用意する。第１ケース２３１を第２ケース２３２に組み合わせる。これにより、保持部２２０の取付部２２３が第１、第２ケース２３１、２３２に挟持される。保持部２２０の第１保持部２２１の第１開口２２１ａが第１ケース２３１の噴霧口２３１ａに連通する。以上のように噴霧部２００が組み立てられ、噴霧部２００が第１収容部１１０に部分的に収容される。
【００４８】
その後、制御部６００が実装された基板５００を用意する。基板５００を内側ハウジング１０１に固定する。その後、基板５００を振動部２１０にリード線等を用いて接続する。その後、外側ハウジング１０２を用意する。内側ハウジング１０１の第１収容部１１０を外側ハウジング１０２内に嵌合させる。これにより、基板５００及び制御部６００が内側ハウジング１０１と外側ハウジング１０２との間（すなわち、ハウジング１００内）に収容される。その後、液体が貯留された液体容器４００を用意する。その後、液体容器４００を内側ハウジング１０１の第２収容部１４０に嵌合させる。このとき、液体供給部３００の浸漬部３３０が、液体容器４００内に収容され、液体容器４００内の液体に浸漬される。以上のように液体噴霧装置Ｄ１が組み立てられる。
【００４９】
上述した液体噴霧装置Ｄ１は、以下の技術的特徴を有している。第１に、噴霧部２００の液体の噴霧方向を可変させることができる。その理由は以下の通りである。噴霧部２００がハウジング１００にＹ−Ｙ’方向に回動可能に設けられている。液体供給部３００の固定部３１０が噴霧部２００に固定されているため、液体供給部３００の折り曲げ部３２０が噴霧部２００の回動に応じて折り曲げ可能である。
【００５０】
第２に、液体供給部３００の折り曲げ部３２０の折り曲げが容易に行うことができる。液体供給部３００の固定部３１０が噴霧部２００のスリーブ（第１、第２スリーブ２２５、２２６）に支持され、液体供給部３００の中間部３４０がハウジング１００のスリーブ１５０に支持されている。折り曲げ部３２０が噴霧部２００のスリーブとハウジング１００のスリーブ１５０との間で、噴霧部２００のスリーブの近傍に位置している。このため、噴霧部２００が回動するときに、折り曲げ部３２０を折り曲げるための負荷が当該折り曲げ部３２０にかかり易くなる。しかも、折り曲げ部３２０の折り曲げ時に、折り曲げ部３２０の貫通孔３２１が潰れる。よって、小さな前記負荷で折り曲げ部３２０が折り曲げ可能となっている。
【００５１】
第３に、折り曲げ部３２０の折り曲げ時に固定部３１０にかかる負荷を軽減することができる。液体供給部３００の固定部３１０が噴霧部２００の第２スリーブ２２６に間隙を有して挿通されている。このため、折り曲げ部３２０の折り曲げ時に、固定部３１０が噴霧部２００の第２スリーブ２２６に押圧され難くなる。第４に、噴霧部２００を回動させるときに、振動部２１０に対して負荷がかからない。固定部３１０が振動部２１０に当接した状態で噴霧部２００に固定されているからである。
【実施例２】
【００５２】
以下、本発明の実施例２に係る液体噴霧装置Ｄ２について図４Ａ〜図５Ｃを参照しつつ説明する。液体噴霧装置Ｄ２は、次の相違点で液体噴霧装置Ｄ１と相違する以外、装置Ｄ１と同じ構成である。第１相違点は、噴霧部２００’がハウジング１００’に対して離反及び接近可能になっていることである。すなわち、実施例２の噴霧部２００’はハウジング１００’に対して回動可能に設けられていない。第２相違点は、ハウジング１００’の構成が実施例１のハウジング１００の構成と相違していることにある。第３相違点は、噴霧部２００’の構成が実施例１の噴霧部２００の構成と相違していることにある。第４相違点は、液体供給部３００’がハウジング１００’に対して伸縮可能な構成であることである。以下、上記相違点について詳しく説明し、装置Ｄ２について装置Ｄ１と重複する説明は省略する。装置Ｄ２の構成要素のうち、装置Ｄ１の構成要素と相違する構成要素の符号については、’又は別の符号を付して装置Ｄ１の構成要素と区別する。
【００５３】
図４Ａ〜図４Ｂに示すＺ−Ｚ’方向は液体噴霧装置Ｄ２の高さ方向及び液体供給部３００’の長さ方向である。Ｚ方向はＺ−Ｚ’方向のうちの一方（上方）であり、Ｚ’方向はＺ−Ｚ’方向のうちの他方（下方）である。図４Ａ〜図４Ｂに示すＸ−Ｘ’方向は液体噴霧装置Ｄ２の幅方向である。Ｘ方向はＸ−Ｘ’方向のうちの一方であり、Ｘ’方向はＸ−Ｘ’方向のうちの他方である。図４Ａ〜図４Ｂに示すＹ−Ｙ’方向は、液体噴霧装置Ｄ２の奥行き方向である。Ｙ方向はＹ−Ｙ’方向のうちの一方であり、Ｙ’方向はＹ−Ｙ’方向のうちの他方である。
【００５４】
噴霧部２００’は、次の点で実施例１の噴霧部２００と相違している。第１に、噴霧部２００’のケース２３０’の開口２３２ａ’の径及び保持部２２０’の第２スリーブ２２６’の内径が、図５Ａ及び図５Ｂに示すように、液体供給部３００’の後述する大径部３２０’の外径よりも大きく且つ第２スリーブ２２６’の外径がハウジング１００’の後述するスリーブ１５０’の内径よりも若干小さい。第２に、噴霧部２００’の一対の把持部２５０’及び保護部２６０’の形状が、実施例１の噴霧部２００の一対の把持部２５０及び保護部２６０の形状と相違している。第３に、噴霧部２００’が軸部２４０を備えていない。以下、説明の便宜上、一対の把持部２５０’のうちの一方を、一方の把持部２５０’、他方を他方の把持部２５０’と称する。
【００５５】
各保護部２６０’は、図５Ｃに示すように略半円弧状である。各把持部２５０’は、アームと、把持部本体とを有している。アームは、保護部２６０’の頂部からＺ’方向に延びている。把持部本体はアームに連接された半円弧状である。把持部本体は、内周面と、複数の凹部２５１’とを有している。凹部２５１’は、把持部本体の内周面に当該内周面の周方向に間隔をあけて設けられている。
【００５６】
ハウジング１００’は、次の相違点で実施例１のハウジング１００と相違している。第１に、ハウジング１００’は、実施例１の一対の軸受け部１２０の代りに、一対の支持部１６０を備えている。第２に、ハウジング１００’のスリーブ１５０’の内径及び仕切り部１３０’の貫通孔１３１’の径が、図５Ａ及び図５Ｂに示すように、噴霧部２００’の第２スリーブ２２６’の外径よりも若干大きい。
【００５７】
支持部１６０は、噴霧部２００’を着脱自在に支持している。支持部１６０のうちの一方は、第１収容部１１０の仕切り部１３０’からＺ方向に延びた壁であって、貫通孔１３１’及びスリーブ１５０’のＸ方向側に位置している。他方は第１収容部１１０の仕切り部１３０’からＺ方向に延びた壁であって、貫通孔１３１’及びスリーブ１５０’のＸ’方向側に位置している。各支持部１６０には、図５Ａに示すようにＸ−Ｘ’方向に延びた支持棒１６１が設けられている。支持棒１６１のうちの一方が噴霧部２００’の一方の把持部２５０’の把持部本体に着脱自在に把持されている。支持棒１６１のうちの他方が他方の把持部２５０’の把持部本体に着脱自在に把持されている。このため、支持棒１６１の外径が噴霧部２００’の把持部２５０’の把持部本体の内径よりも若干小さい又は略同じである。
【００５８】
支持棒１６１が把持部２５０’に把持された状態（噴霧部２００’が支持部１６０に支持された状態）で、噴霧部２００’の第２スリーブ２２６’がハウジング１００’のスリーブ１５０’内に挿入され、支持されている。これは、上述したように第２スリーブ２２６’の外径がスリーブ１５０’の内径よりも若干小さいためである。図４Ｂに示されるように支持棒１６１が把持部２５０’から外れる（噴霧部２００’が支持部１６０から外れる）ことによって、噴霧部２００’がハウジング１００’に対して離反及び接近可能（移動自在）となる。各支持棒１６１は、外周面と、複数の凸部１６２とを有している。凸部１６２は、支持棒１６１の外周面に当該外周面の周方向に間隔をあけて設けられている。凸部１６２は、図５Ｃに最も良く示されているように把持部２５０’の凹部２５１’に各々嵌合している。
【００５９】
液体供給部３００’は、実施例１の液体供給部３００と同様に、毛細管現状によって、液体容器４００内の液体を吸い上げ、噴霧部２００’の振動部２１０に供給可能な吸液芯である。液体供給部３００’は、図５Ａ及び図５Ｂに示すように、小径部３１０’と、大径部３２０’とを有している。小径部３１０’は、Ｚ−Ｚ’方向に延びた円柱である。小径部３１０’の内部には図示しない毛細管が設けられている。小径部３１０’は、大径部３２０’の後述する第１端部３２１’に固着されている。小径部３１０’の外径は、噴霧部２００’の第１スリーブ２２５の内径よりも若干小さい。小径部３１０’は、噴霧部２００’の取付部２２３の貫通孔及び第１スリーブ２２５を挿通し、振動部２１０に当接している。
【００６０】
大径部３２０’は、Ｚ−Ｚ’方向に延びた可撓性を有する円柱である。大径部３２０’の内部には図示しない毛細管が設けられている。大径部３２０’は、第１端部３２１’と、浸漬部３２２’とを有している。第１端部３２１’は、大径部３２０’の長さ方向の一端部である。浸漬部３２２’は、液体容器４００内に挿入され、液体に浸漬されている。
【００６１】
大径部３２０’の長さ寸法は、噴霧部２００’がハウジング１００’に対する移動距離よりも長い。大径部３２０’の外径は、小径部３１０’の外径よりも大きく且つ噴霧部２００’の第２スリーブ２２６’の内径よりも小さい。大径部３２０’の第１端部３２１’が第２スリーブ２２６’内に挿入され、当該第２スリーブ２２６’にワイヤー等で固定されている。これにより、小径部３１０’が振動部２１０に当接した状態が維持されている。このように液体供給部３００’の大径部３２０’の第１端部３２１’及び小径部３１０’が特許請求の範囲の固定部に相当している。大径部３２０’は、ハウジング１００’のスリーブ１５０’及び貫通孔１３１’を移動自在に挿通している。これにより、液体供給部３００’が、噴霧部２００’の移動に応じて、ハウジング１００’に対して伸縮可能となっている。なお、液体供給部３００’自体は伸縮しない。このように本発明における液体供給部のハウジングに対する伸縮は、液体供給部自体が伸縮しないものを含んでいる。
【００６２】
以下、液体噴霧装置Ｄ２の組立手順について詳しく説明する。噴霧部２００’の振動部２１０及び保持部２２０’を用意する。振動部２１０を、実施例１と同様に保持部２２０’に保持させる。その後、保持部２２０’の連結部２２７をネジ部２２４に螺着させる。これにより、保持部２２０’の第１、第２スリーブ２２５、２２６’の中心が第２保持部２２２の第２開口２２２ａの中心の鉛直線上に位置する。
【００６３】
その後、噴霧部２００’の第２ケース２３２’、把持部２５０’及び保護部２６０’とを用意する。振動部２１０を保持した保持部２２０’の第２スリーブ２２６’を第２ケース２３２’の開口２３２ａ’に挿入し、当該保持部２２０’の取付部２２３を第２ケース２３２’内に収容させる。その後、液体供給部３００’を用意する。液体供給部３００’の小径部３１０’を、保持部２２０’の第２スリーブ２２６’から、保持部２２０’の貫通孔、保持部２２０’の第１スリーブ２２５及び第２保持部２２２の第２開口２２２ａに順次挿入し、小径部３１０’を保持部２２０’に保持された振動部２１０に当接させる。これと共に、液体供給部３００’の大径部３２０’の第１端部３２１’が保持部２２０’の第２スリーブ２２６’に挿入される。この状態で、第１端部３２１’を第２スリーブ２２６’に固定する。これにより、液体供給部３００’の小径部３１０’が第１スリーブ２２５に支持され、液体供給部３００’の第１端部３２１’が第２スリーブ２２６’に支持される。その後、噴霧部２００’の第１ケース２３１を用意する。第１ケース２３１を第２ケース２３２’に組み合わせる。これにより、保持部２２０’の取付部２２３が第１、第２ケース２３１、２３２’に挟持される。保持部２２０’の第１保持部２２１の第１開口２２１ａが第１ケース２３１の噴霧口２３１ａに連通する。以上のように噴霧部２００’が組み立てられる。
【００６４】
その後、内側ハウジング１０１’を用意する。液体供給部３００’の大径部３２０’を内側ハウジング１０１’の第１収容部１１０からスリーブ１５０’に挿入する。これと共に、噴霧部２００’の第２スリーブ２２６’を内側ハウジング１０１’の第１収容部１１０からスリーブ１５０’に挿入する。このとき、噴霧部２００’の把持部２５０’に内側ハウジング１０１’の支持部１６０の支持棒１６１を把持させる。
【００６５】
その後、実施例１と同様に、制御部６００が実装された基板５００を内側ハウジング１０１’に固定し、内側ハウジング１０１’の第１収容部１１０を外側ハウジング１０２内に嵌合させる。その後、液体が貯留された液体容器４００を用意する。液体容器４００を内側ハウジング１０１’の第２収容部１４０に嵌合させる。このとき、液体供給部３００’の浸漬部３２２’が、液体容器４００内に収容され、液体容器４００内の液体に浸漬される。以上のように液体噴霧装置Ｄ２が組み立てられる。
【００６６】
上述した液体噴霧装置Ｄ２は、以下の技術的特徴を有している。第１に、噴霧部２００’の液体の噴霧方向を可変させることができる。具体的には以下の通りである。噴霧部２００’をハウジング１００’に対して離反させる。すると、噴霧部２００’の把持部２５０’のハウジング１００’の支持部１６０に対する把持が解除される。噴霧部２００’の第２スリーブ２２６’がハウジング１００’のスリーブ１５０’から取り出される。液体供給部３００’の小径部３１０’が噴霧部２００’に固定されているので、液体供給部３００’の大径部３２０’がハウジング１００’の貫通孔１３１’及びスリーブ１５０’を通って液体容器４００から導出される。このように液体供給部３００’がハウジング１００’に対して伸長する。液体供給部３００’が伸びた状態で、噴霧部２００’の向きを任意に変えることができる。液体供給部３００’は可撓性を有しているため、噴霧部２００’の向きに応じて湾曲する。その後、噴霧部２００’をハウジング１００’に対して接近させる。噴霧部２００’の第２スリーブ２２６’をハウジング１００’のスリーブ１５０’内に挿入させる。液体供給部３００’の大径部３２０’がハウジング１００’の貫通孔１３１’及びスリーブ１５０’を通って液体容器４００内に収容される。これにより、液体供給部３００’がハウジング１００’に対して縮む。噴霧部２００’の把持部２５０’にハウジング１００’の支持部１６０を把持させる。これにより、噴霧部２００’が支持部１６０に支持される。
【００６７】
第２に、噴霧部２００’がハウジング１００’の支持部１６０に支持された状態が安定する。噴霧部２００’が支持部１６０に支持された状態で、噴霧部２００’の第２スリーブ２２６’がハウジング１００’のスリーブ１５０’内に挿入され、当該スリーブ１５０’に支持されるからである。第３に、噴霧部２００’の把持部２５０’にハウジング１００’の支持部１６０を容易に把持させることができる。噴霧部２００’の第２スリーブ２２６’をハウジング１００’のスリーブ１５０’内に挿入させることによって、把持部２５０’にハウジング１００’の支持部１６０の支持棒１６１に案内されるからである。
【００６８】
第３に、噴霧部２００’を移動させるときに、振動部２１０に対して負荷がかからない。液体供給部３００’の小径部３１０’が振動部２１０に当接した状態で当該液体供給部３００’の大径部３２０’が噴霧部２００’に固定されているからである。
【実施例３】
【００６９】
以下、本発明の実施例３に係る液体噴霧装置Ｄ３について図６Ａ〜図８Ｃを参照しつつ説明する。液体噴霧装置Ｄ３は、次の相違点で液体噴霧装置Ｄ１と相違する以外、装置Ｄ１と同じ構成である。第１相違点は、噴霧部２００’’がハウジング１００’’に対して初期位置と係合位置との間を昇降自在（離反及び接近可能）になっていることである。すなわち、実施例３の噴霧部２００’’もハウジング１００’’に対して回動可能に設けられていない。第２相違点は、ハウジング１００’’の構成が実施例１のハウジング１００の構成と相違していることにある。第３相違点は、噴霧部２００’’の構成が実施例１の噴霧部２００の構成と相違していることにある。第４相違点は、液体供給部３００’’がハウジング１００’’に対して伸縮可能な構成であることである。第５相違点は、液体容器７００がストッパ７１０を備えていることである。以下、上記相違点について詳しく説明し、装置Ｄ３について装置Ｄ１と重複する説明は省略する。装置Ｄ３の構成要素のうち、装置Ｄ１の構成要素と相違する構成要素の符号については、’’又は別の符号を付して装置Ｄ１の構成要素と区別する。
【００７０】
図６Ａ〜図６Ｂに示すＺ−Ｚ’方向は液体噴霧装置Ｄ３の高さ方向及び液体供給部３００’’の長さ方向である。Ｚ方向はＺ−Ｚ’方向のうちの一方（上方）であり、Ｚ’方向はＺ−Ｚ’方向のうちの他方（下方）である。図６Ａ〜図６Ｂに示すＸ−Ｘ’方向は液体噴霧装置Ｄ３の幅方向である。Ｘ方向はＸ−Ｘ’方向のうちの一方であり、Ｘ’方向はＸ−Ｘ’方向のうちの他方である。図６Ａ〜図６Ｂに示すＹ−Ｙ’方向は、液体噴霧装置Ｄ３の奥行き方向である。Ｙ方向はＹ−Ｙ’方向のうちの一方であり、Ｙ’方向はＹ−Ｙ’方向のうちの他方である。
【００７１】
噴霧部２００’’は、一対の把持部２５０、一対の保護部２６０及び一対の軸部２４０に代えて、スライダー２７０ａ、２７０ｂを備えている点で、実施例１の噴霧部２００と相違している。
【００７２】
スライダー２７０ａは、図７Ａ及び図８Ａに最も良く示されているように、噴霧部２００’’の第２ケース２３２の底の開口２３２ａよりもＸ方向側の部分に設けられている。スライダー２７０ａは、スライダー本体２７１ａと、係合凸部２７２ａとを有している。スライダー本体２７１ａは、第２ケース２３２の底からＺ’方向に延びている。係合凸部２７２ａは、スライダー本体２７１ａの下端部にＸ方向に凸となるように設けられている。
【００７３】
スライダー２７０ｂは、図７Ａ及び図８Ａに最も良く示されているように、噴霧部２００’’の第２ケース２３２の底の開口２３２ａよりもＸ’方向側の部分に設けられている。スライダー２７０ｂは、スライダー本体２７１ｂと、係合凸部２７２ｂとを有している。スライダー本体２７１ｂは、第２ケース２３２の底からＺ’方向に延びている。係合凸部２７２ｂは、スライダー本体２７１ｂの下端部にＸ’方向に凸となるように設けられている。
【００７４】
噴霧部２００’’は、スライダー２７０ａ、２７０ｂがハウジング１００’’に初期位置と係合位置と間をスライド移動自在に保持されることによって、ハウジング１００’’に対して初期位置と係合位置との間を昇降自在となっている。なお、スライダー２７０ａ、２７０ｂの初期位置は、図７Ａ及び図７Ｃに最も良く示されているようにスライダー２７０ａ、２７０ｂがハウジング１００’’の仕切り部１３０上に設置された位置である。スライダー２７０ａの係合位置は、図８Ａ及び図８Ｃに最も良く示されているようにスライダー２７０ａがハウジング１００’’の後述する一対の係合部１７３ａに係合された位置であり、スライダー２７０ｂの係合位置は、スライダー２７０ｂがハウジング１００’’の後述する一対の係合部１７３ｂに係合された位置である。スライダー２７０ａ、２７０ｂの移動経路は、初期位置から係合位置まである。噴霧部２００’’の初期位置は、スライダー２７０ａ、２７０ｂが初期位置に位置する位置である。噴霧部２００’’の係合位置は、スライダー２７０ａ、２７０ｂが係合位置に位置する位置である。
【００７５】
ハウジング１００’’は、図６Ｂに最も良く示されているように、実施例１の一対の軸受け部１２０の代りに、支持部１７０ａ、１７０ｂを備えており且つスリーブ１５０が省略されている点で、実施例１のハウジング１００と相違している。
【００７６】
支持部１７０ａは、噴霧部２００’’のスライダー２７０ａを昇降自在に支持している。支持部１７０ａは、第１収容部１１０の仕切り部１３０上の貫通孔１３１よりもＸ方向側の部分に設けられている。支持部１７０ａは、図７Ｃ及び図８Ｃに示すように、ガイド壁１７１ａ、１７２ａと、一対の係合部１７３ａとを有している。ガイド壁１７１ａ、１７２ａは、仕切り部１３０上にＹ−Ｙ’方向に間隔をあけて設けられている。ガイド壁１７１ａ、１７２ａは、第１壁と、第２壁とを各々有している。ガイド壁１７１ａの第１壁からガイド壁１７２ａの第１壁までＹ−Ｙ’方向の距離は、ガイド壁１７１ａの第２壁からガイド壁１７２ａの第２壁までＹ−Ｙ’方向の距離よりも大きく且つスライダー２７０ａのスライダー本体２７１ａのＹ−Ｙ’方向の寸法よりも若干大きい。ガイド壁１７１ａ、１７２ａの第１壁にスライダー２７０ａのスライダー本体２７１ａがＺ−Ｚ’方向にスライド自在（昇降自在）にガイドされている。ガイド壁１７１ａの第２壁からガイド壁１７２ａの第２壁までＹ−Ｙ’方向の距離は、スライダー２７０ａの係合凸部２７２ａのＹ−Ｙ’方向の寸法よりも若干大きい。
【００７７】
一対の係合部１７３ａうちの一方はガイド壁１７１ａの第２壁の上端部（スライダー２７０ａの移動経路）に設けられている。一方の係合部１７３ａはガイド壁１７２ａ側に凸の凸部である。係合部１７３ａのうちの他方はガイド壁１７２ａの第２壁の上端部（スライダー２７０ａの移動経路）に設けられている。他方の係合部１７３ａはガイド壁１７１ａ側に凸の凸部である。一方の係合部１７３ａから他方の係合部１７３ａまでのＹ−Ｙ’方向の距離は、スライダー２７０ａの係合凸部２７２ａのＹ−Ｙ’方向の寸法よりも若干小さい。係合部１７３ａが、図８Ｃに示すように、スライダー２７０ａの係合凸部２７２ａを係合位置で係合可能となっている。
【００７８】
支持部１７０ｂは、図６Ａ及び図６Ｂに最も良く示されているように噴霧部２００’’のスライダー２７０ｂを昇降自在に支持している。支持部１７０ｂは第１収容部１１０の仕切り部１３０上の貫通孔１３１よりもＸ’方向側の部分に設けられている。支持部１７０ｂは、支持部１７０ａと同じ構成である。支持部１７０ｂのガイド壁１７１ｂ、１７２ｂの第１壁にスライダー２７０ｂがＺ−Ｚ’方向にスライド自在（昇降自在）にガイドされている。支持部１７０ｂのガイド壁１７１ｂ、１７２ｂの第２壁上の一対の係合部１７３ｂが、図８Ｃに示すように、スライダー２７０ｂの係合凸部２７２ｂを係合位置で係合可能となっている。
【００７９】
液体供給部３００’’は、実施例１の液体供給部３００と同様に、毛細管現状によって、液体容器７００内の液体を吸い上げ、噴霧部２００’’の振動部２１０に供給可能な吸液芯である。液体供給部３００’’は、図７Ａ、図７Ｂ、図８Ａ及び図８Ｂに最も良く示されているように、芯部３１０’’と、筒部３２０’’とを有している。芯部３１０’’は、Ｚ−Ｚ’方向に延びた円柱である。芯部３１０’’の内部には図示しない毛細管が設けられている。芯部３１０’’は、固定部３１１’’と、スライド部３１２’’を有している。固定部３１１’’は、芯部３１０’’のＺ方向側の端部（上端部）である。固定部３１１’’は、実施例１の固定部３１０と同じ構成である。固定部３１１’’は、噴霧部２００’’の取付部２２３の貫通孔及び第１、第２スリーブ２２５、２２６を挿通し、振動部２１０に当接している。固定部３１１’’は、第１、第２スリーブ２２５、２２６の何れかにワイヤー等で固定されている。スライド部３１２’’は、芯部３１０’’のＺ’方向側の端部（下端部）である。
【００８０】
筒部３２０’’は、Ｚ−Ｚ’方向に延びた円筒である。筒部３２０’’の内部には図示しない毛細管が設けられている。筒部３２０’’の長さ寸法は、芯部３１０’’の長さ寸法よりも小さい。筒部３２０’’の内径は、芯部３１０’’の外径に対応している。筒部３２０’’内に芯部３１０’’のスライド部３１２’’がＺ−Ｚ’方向にスライド自在に挿入されている。具体的には、噴霧部２００’’が初期位置に位置しているとき、スライド部３１２’’の全てが筒部３２０’’内に挿入されている。噴霧部２００’’が係合位置に位置しているとき、スライド部３１２’’のＺ方向側の部分が筒部３２０’’から突出する。
【００８１】
液体容器７００は、ストッパ７１０を更に有している以外、実施例１の液体容器４００と同じ構成である。ストッパ７１０は、液体容器７００の天板に固定されている。ストッパ７１０は、第１、第２筒７１１、７１２を有している。第１筒７１１の内径は、芯部３１０’’の外径よりも若干大きい。第１筒７１１には、芯部３１０’’が上下動自在に挿通されている。第２筒７１２の内径は、筒部３２０’’の外径よりも若干大きい。第２筒７１２には、筒部３２０’’が嵌合している。これにより、筒部３２０’’が芯部３１０’’のスライド方向（Ｚ−Ｚ’方向）に移動しないように移動規制している。
【００８２】
以下、液体噴霧装置Ｄ３の組立手順について詳しく説明する。まず、液体供給部３００’’、液体容器７００及び内側ハウジング１０１’’を用意する。この液体容器７００のストッパ７１０の第１筒７１１には、液体供給部３００’’の芯部３１０’’が挿通しており、ストッパ７１０の第２筒７１２には、筒部３２０’’が嵌合している。芯部３１０’’のスライド部３１２’’及び筒部３２０’’が液体容器７００の液体に浸漬されている。芯部３１０’’及びストッパ７１０の第１筒７１１を内側ハウジング１０１’’の仕切り部１３０の貫通孔１３１に挿通させ、支持部１７０ａ、１７０ｂの間に配置させる。
【００８３】
その後、噴霧部２００’’の第２ケース２３２及びスライダー２７０ａ、２７０ｂを用意する。その後、スライダー２７０ａを内側ハウジング１０１’’の支持部１７０ａのガイド壁１７１ａ、１７２ａ間に挿入し、仕切り部１３０上に設置する。これと共に、スライダー２７０ｂを内側ハウジング１０１’’の支持部１７０ｂのガイド壁１７１ｂ、１７２ｂ間に挿入し、仕切り部１３０上に設置する。このとき、液体供給部３００’’の芯部３１０’’が第２ケース２３２の開口２３２ａを挿通する。
【００８４】
その一方で、噴霧部２００’’の振動部２１０及び保持部２２０を用意する。実施例と１同様に、振動部２１０を保持部２２０に保持させる。その後、保持部２２０のネジ部２２４を取付部２２３に固定する。
【００８５】
その後、開口２３２ａを挿通した液体供給部３００’’の芯部３１０’’を保持部２２０’’の第２スリーブ２２６から、保持部２２０’’の貫通孔、保持部２２０’’の第１スリーブ２２５及び第２保持部２２２の第２開口２２２ａに順次挿入し、芯部３１０’’を保持部２２０に保持された振動部２１０に当接させる。これと共に、保持部２２０の取付部２２３を第２ケース２３２に収容させる。この状態で、芯部３１０’’の固定部３１１’’を第１、第２スリーブ２２５、２２６の何れか一方に固定する。これにより、液体供給部３００’’の固定部３１１’’が第１、第２スリーブ２２５、２２６に支持される。その後、噴霧部２００’’の第１ケース２３１を用意する。第１ケース２３１を第２ケース２３２に組み合わせる。これにより、保持部２２０’’の取付部２２３が第１、第２ケース２３１、２３２に挟持される。保持部２２０’’の第１保持部２２１の第１開口２２１ａが第１ケース２３１の噴霧口２３１ａに連通する。以上のように噴霧部２００’’が組み立てられる。
【００８６】
その後、実施例１と同様に、制御部６００が実装された基板５００を内側ハウジング１０１’’に固定し、内側ハウジング１０１’’の第１収容部１１０を外側ハウジング１０２内に嵌合させる。以上のように液体噴霧装置Ｄ３が組み立てられる。
【００８７】
上述した液体噴霧装置Ｄ３は、以下の技術的特徴を有している。第１に、噴霧部２００’’の液体の噴霧方向を可変させることができる。具体的には、以下の通りである。噴霧部２００’’のスライダー２７０ａ、２７０ｂがハウジング１００’’の支持部１７０ａ、１７０ｂに昇降自在に支持されている。このため、噴霧部２００’’を初期位置から係合位置にかけてスライドさせる（噴霧部２００’’をハウジング１００’’に対して離反させる）と、スライダー２７０ａがガイド壁１７１ａ、１７２ａ間をスライドし、スライダー２７０ｂがガイド壁１７１ｂ、１７２ｂ間をスライドする。そして、スライダー２７０ａの係合凸部２７２ａが支持部１７０ａの一対の係合部１７３ａを乗り越え、当該係合部１７３ａに係合される。スライダー２７０ｂの係合凸部２７２ｂが支持部１７０ｂの一対の係合部１７３ｂを乗り越え、当該係合部１７３ｂに係合される。液体供給部３００’’の芯部３１０’’の固定部３１１’’が噴霧部２００’’に固定されているので、芯部３１０’’が噴霧部２００’’のスライドに応じて筒部３２０’’及びハウジング１００’’に対してＺ方向に伸長する（移動する）。係合部１７３ａに係合位置で支持された噴霧部２００’’は液体を霧化し、放出可能となる。その後、噴霧部２００’’を係合位置から初期位置にかけてスライドさせる（噴霧部２００’’をハウジング１００’’に対して接近させる）と、スライダー２７０ａがガイド壁１７１ａ、１７２ａ間をスライドし、スライダー２７０ｂがガイド壁１７１ｂ、１７２ｂ間をスライドする。このとき、スライダー２７０ａの係合凸部２７２ａが支持部１７０ａの一対の係合部１７３ａを乗り越え、ハウジング１００’’の仕切り部１３０に支持される。スライダー２７０ｂの係合凸部２７２ｂが支持部１７０ｂの一対の係合部１７３ｂを乗り越え、ハウジング１００’’の仕切り部１３０に支持される。液体供給部３００’’の芯部３１０’’が噴霧部２００’’のスライドに応じて筒部３２０’’及びハウジング１００’’に対してＺ’方向に縮む（移動する）。このため、仕切り部１３０に初期位置で支持された噴霧部２００’’は液体を霧化し、放出可能となる。
【００８８】
第２に、液体供給部３００’’の芯部３１０’’が筒部３２０’’に対してスライドするときに、筒部３２０’’がＺ−Ｚ’方向に移動するのを防止することができる。筒部３２０’’が液体容器７００のストッパ７１０の第２筒７１２に嵌合しているためである。
【００８９】
第３に、噴霧部２００’’をスライドさせるときに、振動部２１０に対して負荷がかからない。液体供給部３００’’の固定部３１１’’が振動部２１０に当接した状態で噴霧部２００’’に固定されているからである。
【００９０】
なお、上述した液体噴霧装置は、上記実施例に限定されるものではなく、特許請求の範囲の記載範囲において任意に設計変更することが可能である。以下、詳しく述べる。
【００９１】
本発明の噴霧部は、液体を霧化して外部に放出可能な構成であって、ハウジングに対して回動可能、ハウジングに対して揺動可能、又はハウジングに対して離反及び接近可能である限り任意に設計変更することが可能である。噴霧部の回動角度、揺動範囲及び移動範囲は任意に設定することが可能である。噴霧部の初期位置も任意に設定することが可能である。例えば、噴霧部は所定角度に傾いた位置が初期位置とすることが可能である。また、噴霧部は、ハウジングの係合部に係合され、当該係合部に中空支持された位置が初期位置とすることが可能である。
【００９２】
本発明の噴霧部の振動部は、液体を霧化させるために振動を生じさせることが可能である限り任意に設計変更することが可能である。例えば、振動部は、超音波振動によって液体を霧化させる構成とすることが可能である。
【００９３】
本発明の噴霧部の保持部は、上述した何れかの態様の振動部を保持することができ且つ液体供給部の固定部が固定され得る限り任意に設計変更することが可能である。例えば、噴霧部の保持部は、上述した何れかの態様の振動部を保持する第１、第２保持部のみを有する構成とすることが可能である。第１、第２保持部の少なくとも一方を噴霧部のケースとすることが可能である。振動部によって霧化された液体は、第１、第２保持部の少なくとも一方に設けられた噴霧口から噴霧される構成とすることが可能である。また、噴霧部の保持部は、ケースと、第１、第２保持部と、取付部とを有する構成とすることが可能である。第１、第２保持部は上述した何れかの態様の振動部を保持している。取付部はケースに取り付けられ、当該ケース内で第１、第２保持部を保持している。
【００９４】
本発明の噴霧部のスリーブは省略可能である。本発明の噴霧部のスリーブは液体供給部の固定部が挿通されている限り任意に設計変更することが可能である。例えば、噴霧部のスリーブは、第１保持部、第２保持部、保持部の取付部の上面、保持部の取付部の下面又は噴霧部のケースに設けられた構成とすることが可能である。また、上述した何れかの態様の噴霧部のスリーブは、保持部の取付部の上面に設けられた第１スリーブと、前記取付部の下面に設けられた第２スリーブとの少なくとも一方を有する構成とすることが可能である。第１、第２スリーブの内径及び／又は外径は同一であっても良いし、相違しても良い。上述した噴霧部のスリーブは、円筒だけでなく、角筒又は多角形の筒等とすることが可能である。
【００９５】
本発明のハウジングは、上述した何れかの態様の噴霧部を回動可能、揺動可能、着脱可能又はスライド可能に支持し得る限り任意に設計変更することが可能である。
【００９６】
本発明のハウジングの支持部は、上述した何れかの態様の噴霧部を支持可能である限り任意に設計変更することが可能である。例えば、支持部は、ハウジングに設けられており且つハウジングに対して接近及び離反可能な噴霧部が載置される載置部とすることが可能である。また、支持部は、ハウジングに設けられており且つハウジングに対して接近及び離反可能な噴霧部が収容される凹部とすることが可能である。また、支持部は、ハウジングに設けられており且つハウジングに対して接近及び離反可能な噴霧部を係合可能な係合凸部又は係合凹部とすることが可能である。
【００９７】
本発明のハウジングのスリーブは省略可能である。本発明のハウジングのスリーブは、液体供給部が挿通されている限り任意に設計変更することが可能である。本発明のハウジングのスリーブは、上述した噴霧部が上述した支持部に支持された状態で、上述した保持部のスリーブが上述したハウジングのスリーブ内に挿入される構成としても良いし、上述したハウジングのスリーブが上述した保持部のスリーブ内に挿入される構成としても良い。両者の場合、内側のスリーブが外側のスリーブに支持される構成としても良い。
【００９８】
本発明のハウジングの係合部は省略可能である。本発明のハウジングの係合部は、上述した何れかの態様のハウジングのスライダーの移動経路に設けられており且つ当該スライダーを係合可能である限り任意に設計変更することが可能である。例えば、係合部は、上記実施例又は後述する設計変形例のスライダーを、当該スライダーの移動路内で係合可能な一又は複数の係合凸部又は係合凹部とすることが可能である。複数の係合凸部又は係合凹部は、スライダーの移動方向に間隔をあけて配置することが可能である。本発明のハウジングの係合部は、本発明のハウジングの噴霧部の回動路又は揺動路に設けられており且つ当該噴霧部を係合可能な構成としても良い。具体的には、係合部は、上述した何れかの態様の噴霧部を、当該噴霧部の回動路又は揺動路内で係合可能な一又は複数の係合凸部又は係合凹部とすることが可能である。複数の係合凸部又は係合凹部は、噴霧部の回動方向又は揺動方向に間隔をあけて配置することが可能である。
【００９９】
本発明のスライダーは、上述した何れかの態様の噴霧部及びハウジングの何れか一方に設けられ、噴霧部をハウジングに対してスライド自在に支持する限り任意に設計変更することが可能である。噴霧部がスライダーを有する場合、スライダーは、上述した何れかの態様の第１、第２保持部、噴霧部のケース又は取付部に設けられた構成とすることが可能である。ハウジングがスライダーを有する場合、スライダーは上述した何れかの態様の噴霧部を支持する構成とすると良い。
【０１００】
本発明の軸部は、上述した何れかの態様の噴霧部及びハウジングの何れか一方に設けられている限り任意に設計変更することが可能である。本発明の軸受け部は、前記噴霧部及びハウジングの他方に設けられ且つ前記軸部を軸支し得る限り任意に設計変更することが可能である。上述した何れかの態様の軸部は、上述した何れかの態様の軸受け部に対して着脱可能な構成とすることが可能である。
【０１０１】
例えば、実施例２の液体噴霧装置Ｄ２は、以下の通り設計変更することが可能である。ハウジング１００’が、一対の支持部１６０に代えて、実施例１の一対の軸受け部１２０を有する構成とすることが可能である。噴霧部２００’が、一対の実施例１の軸部２４０を更に有する構成とすることが可能である。軸部２４０は、把持部２５０’に各々着脱自在に把持されており且つ軸受け部１２０の軸受け孔１２１に各々回転可能に挿入されている。この場合、第２スリーブ２２６’は省略又はスリーブ１５０’内に挿入されない長さに設計変更される。このため、噴霧部２００’が実施例１と同様に回動可能であり、液体供給部３００’の大径部３２０’が噴霧部２００’の回動に応じて折り曲げ可能である。軸部２４０が把持部２５０’の把持から解除されることによって、噴霧部２００’は実施例２と同様にハウジング１００’から接近及び離反可能となる。このとき、液体供給部３００’の大径部３２０’がハウジング１００’の貫通孔１３１’及びスリーブ１５０’を通って液体容器４００から導出される。このように液体供給部３００’がハウジング１００’に対して伸長する。液体供給部３００’が伸びた状態で、噴霧部２００’の向きを任意に変えることができる。液体供給部３００’は可撓性を有しているため、噴霧部２００’の向きに応じて湾曲する。その後、噴霧部２００’の軸部２４０を把持部２５０’に把持させる。このとき、液体供給部３００’の大径部３２０’がハウジング１００’の貫通孔１３１’及びスリーブ１５０’を通って液体容器４００内に収容される。なお、スリーブ１５０’は省略可能である。
【０１０２】
上述した何れかの態様の軸部が噴霧部のスライダー及びハウジングの何れか一方に設けられ、上述した何れかの態様の軸受け部が前記噴霧部のスライダー及びハウジングの他方に設けられた構成とすることが可能である。上述した何れかの態様の軸部がハウジングのスライダー及び噴霧部の何れか一方に設けられ、上述した何れかの態様の軸受け部が前記ハウジングのスライダー及び噴霧部の他方に設けられた構成とすることが可能である。
【０１０３】
本発明の噴霧部が上述したようにハウジングに対して揺動可能である場合、軸部及び軸受け部の代りに、上述した何れかの態様の噴霧部及びハウジングの何れか一方にガイド凸部が設けられ、前記ハウジング及び前記噴霧部の他方にガイド凹部が設けられた構成とすることが可能である。ガイド凸部がガイド凹部に移動自在にガイドされることによって、噴霧部がハウジングに対して揺動自在となる。ガイド凸部は、ガイド凹部に対して着脱可能な構成とすることが可能である。上述した何れかの態様のガイド凸部が噴霧部のスライダー及びハウジングの何れか一方に設けられ、上述した何れかの態様のガイド凹部前記噴霧部のスライダー及びハウジングの他方に設けられた構成とすることが可能である。上述した何れかの態様のガイド凸部がハウジングのスライダー及び噴霧部の何れか一方に設けられ、上述した何れかの態様のガイド凹部が前記ハウジングのスライダー及び噴霧部の他方に設けられた構成とすることが可能である。
【０１０４】
なお、軸部及び軸受け部の何れか一方に係合凸部が設けられ、他方に係合凹部が設けられた構成とすることが可能である。係合凸部が係合凹部に係合されることによって、軸部が所定角度で軸受け部に保持される。ガイド凸部及びガイド凹部の何れか一方に係合凸部が設けられ、他方に係合凹部が設けられた構成とすることが可能である。係合凸部が係合凹部に係合されることによって、ガイド凸部が所定位置でガイド凹部に保持される。ガイド凸部自体が係合凸部を兼ねる構成とすることも可能である。
【０１０５】
本発明の液体供給部は、下記条件に適う限り任意に設計変更することが可能である。第１に、本発明の液体供給部は上述した何れかの態様の噴霧部に固定されていることである。第２に、本発明の液体供給部は前記噴霧部に液体を供給可能であることである。第３に、本発明の液体供給部は、前記噴霧部の回動又は揺動に応じて部分的に折り曲げ可能、又は、前記噴霧部の接近及び離反に応じてハウジングに対して部分的に伸縮可能である限り任意に設計変更することが可能である。例えば、上述の通り噴霧部がハウジングに対して接近及び離反（スライドを含む。）する場合、液体供給部は噴霧部の移動距離よりも長くなっており、且つ噴霧部の離反に応じて液体容器から導出され、ハウジングに対して伸長する一方、噴霧部の接近に応じて液体容器に収容され、ハウジングに対して縮む構成とすることが可能である。上述の通り噴霧部がハウジングに対して接近及び離反（スライドを含む。）する場合、液体供給部は、筒部と、前記筒部内にスライド自在に設けられた芯部とを有しており、且つ前記筒部及び芯部の何れか一方が噴霧部に固定される構成とすることが可能である。すなわち、実施例２の液体供給部３００’と実施例３の液体供給部３００’’は置換可能である。上記実施例２の設計変形例においても、実施例３の液体供給部３００’’を採用することが可能である。本発明の液体供給部は、少なくとも一部が弾性変形することによって伸縮する吸液芯等である構成とすることも可能である。
【０１０６】
本発明の液体供給部の固定部は、上述した何れかの態様の噴霧部の保持部に固定され且つ上述した何れかの態様の振動部に当接している限り任意に設計変更することが可能である。例えば、固定部は、噴霧部の第１、第２保持部の何れか一方、取付部又はケースに固定された構成とすることが可能である。固定部の保持部に対する固定は、接着、嵌合、カシメ等の周知の固定手段を用いることが可能である。
【０１０７】
本発明の液体供給部の折り曲げ部は、上述した何れかの態様の噴霧部の回動又は揺動に応じて折り曲げ可能である限り任意に設計変更することが可能である。本発明の液体供給部の折り曲げは、湾曲も含む。本発明の折り曲げ部の貫通孔は省略可能である。本発明の折り曲げ部の貫通孔は、当該折り曲げ部を半径方向又は短手方向に貫通している限り任意に設計変更することが可能である。また、本発明の折り曲げ部は、貫通孔に代えて、液体供給部の当該折り曲げ部以外の部分よりも細い構成とすることが可能である。上述の通りスライダーに軸部又は軸受け部が設けられている場合、上述した何れかの態様の折り曲げ部が、噴霧部の移動距離よりも長い液体供給部に設けられた構成としても良いし、筒部及び芯部の何れか一方に設けられた構成としても良い。
【０１０８】
なお、本発明の液体供給部は、２種以上の材料で構成することが可能である。例えば、液体供給部の固定部及び浸漬部が異なる素材で構成されていても良い。液体供給部の固定部及び折り曲げ部が異なる素材で構成されていても良い。また、液体供給部の芯部及び筒部が異なる素材で構成されていても良い。吸液性に優れる第１材料と、剛性又は可撓性を有する第２材料とを組み合わせることが可能である。なお、本発明の液体供給部は、液体が通過可能な供給路等とすることも可能である。
【０１０９】
なお、上記実施例における液体噴霧装置の各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。本発明の液体は、噴霧部によって噴霧可能である限り任意に変更することが可能である。例えば、本発明の噴霧部が噴霧可能な液体としては、水、香水、アロマオイル等がある。
【符号の説明】
【０１１０】
Ｄ１・・・・・・液体噴霧装置
１００・・・・ハウジング
１０１・・・内側ハウジング
１０２・・・外側ハウジング
１１０・・・第１収容部
１２０・・・軸受け部
１２１・・軸受け孔
１３０・・・仕切り部
１３１・・貫通孔
１４０・・・第２収容部
１５０・・・スリーブ
２００・・・・噴霧部
２１０・・・振動部
２２０・・・保持部
２２１・・第１保持部
２２１ａ・第１開口
２２２・・第２保持部
２２２ａ・第２開口
２２３・・取付部
２２４・・ネジ部
２２５・・第１スリーブ
２２６・・第２スリーブ
２２７・・連結部
２３０・・・ケース
２３１・・第１ケース
２３１ａ・噴霧口
２３２・・第２ケース
２３２ａ・開口
２４０・・・軸部
２４１・・凸部
２５０・・・把持部
２５１・・凹部
２６０・・・保護部
３００・・・・液体供給部
３１０・・・固定部
３２０・・・折り曲げ部
３２１・・貫通孔
３３０・・・浸漬部
３４０・・・中間部
４００・・・・液体容器
５００・・・・基板
６００・・・・制御部
Ｄ２・・・・・・液体噴霧装置
１００’・・・ハウジング
１０１’・・内側ハウジング
１３０’・・仕切り部
１３１’・貫通孔
１５０’・・スリーブ
１６０・・・支持部
１６１・・支持棒
２００’・・・噴霧部
２２０’・・保持部
２２６’・第２スリーブ
２３０’・・ケース
２３２’・第２ケース
２３２ａ’・開口
２５０’・・把持部
２５１’・凹部
２６０’・・保護部
３００’・・・液体供給部
３１０’・・小径部（固定部）
３２０’・・大径部
３２１’・第１端部（固定部）
３２２’・浸漬部
Ｄ３・・・・・・液体噴霧装置
１００’’・・ハウジング
１０１’’・内側ハウジング
１７０ａ・・支持部
１７１ａ・ガイド壁
１７２ａ・ガイド壁
１７３ａ・係合部
１７０ｂ・・支持部
１７１ｂ・ガイド壁
１７２ｂ・ガイド壁
１７３ｂ・係合部
２００’’・・噴霧部
２２０’’・保持部
２７０ａ・・スライダー
２７１ａ・スライダー本体
２７２ａ・係合凸部
２７０ｂ・・スライダー
２７１ｂ・スライダー本体
２７２ｂ・係合凸部
３００’’・・液体供給部
３１０’’・芯部
３１１’’・固定部
３１２’’・スライド部
３２０’’・筒部
７００・・・・液体容器
７１０・・・ストッパ
７１１・・第１筒
７１２・・第２筒
【図１Ａ】
2015147180.tif 000003
【図１Ｂ】
2015147180.tif 000004
【図２Ａ】
2015147180.tif 000005
【図２Ｂ】
2015147180.tif 000006
【図２Ｃ】
2015147180.tif 000007
【図２Ｄ】
2015147180.tif 000008
【図３Ａ】
2015147180.tif 000009
【図３Ｂ】
2015147180.tif 000010
【図３Ｃ】
2015147180.tif 000011
【図４Ａ】
2015147180.tif 000012
【図４Ｂ】
2015147180.tif 000013
【図５Ａ】
2015147180.tif 000014
【図５Ｂ】
2015147180.tif 000015
【図５Ｃ】
2015147180.tif 000016
【図６Ａ】
2015147180.tif 000017
【図６Ｂ】
2015147180.tif 000018
【図７Ａ】
2015147180.tif 000019
【図７Ｂ】
2015147180.tif 000020
【図７Ｃ】
2015147180.tif 000021
【図８Ａ】
2015147180.tif 000022
【図８Ｂ】
2015147180.tif 000023
【図８Ｃ】
2015147180.tif 000024